(57)【特許請求の範囲】
【請求項１】
電池本体部（２４）と、前記電池本体部から突出し、正極端子（２３１）及び負極端子（２３２）からなる電極端子（２３）とを有する電池（２１）が複数積層される電池積層体（２０）と、
前記電池積層体を内部に収容するパックケース（１０）と、
前記パックケースの外部から、前記パックケースの内部に形成された流体通路（６０）に前記電池積層体を冷却する流体を流動させる流体駆動部（４０）と、
複数の前記電池が積層される積層方向（Ｚ）に前記電池積層体を挟持する一対のエンドプレート（５０）を備える電池パックであって、
前記エンドプレートは、前記積層方向から見たときに複数の前記電池の投影領域と重なるプレート本体部（５１）と、前記プレート本体部から前記投影領域外に突出する突出部（５２）とを備え、
前記突出部には、前記積層方向に拘束力を加えて複数の前記電池を拘束する拘束部材（３１４）が配設され、
前記突出部の突出方向において、前記プレート本体部および前記突出部の双方と隣接する領域のうち前記投影領域の外の領域を配置領域（３１６）とした場合に、前記流体駆動部の少なくとも一部は、前記積層方向から見た前記配置領域の投影空間である配置空間（３２）に配置されており、
前記パックケースの内部に収容されるとともに、前記パックケースの内部にて固定され、前記電池積層体を覆う積層体ケース（３０）をさらに備え、
前記流体通路を形成する壁面の少なくとも一部は前記積層体ケースの壁面であることを特徴とする電池パック。
【請求項２】
電池本体部（２４）と、前記電池本体部から突出し、正極端子（２３１）及び負極端子（２３２）からなる電極端子（２３）とを有する電池（２１）が複数積層される電池積層体（２０）と、
前記電池積層体を内部に収容するパックケース（１０）と、
前記パックケースの外部から、前記パックケースの内部に形成された流体通路（６０）に前記電池積層体を冷却する流体を流動させる流体駆動部（４０）と、
複数の前記電池が積層される積層方向（Ｚ）に前記電池積層体を挟持する一対のエンドプレート（５０）を備える電池パックであって、
前記エンドプレートは、前記積層方向から見たときに複数の前記電池の投影領域と重なるプレート本体部（５１）と、前記プレート本体部から前記投影領域の外部に延出する延出部（５３）とを備え、
前記延出部には、前記積層方向に拘束力を加えて複数の前記電池を拘束する拘束部材（３１４）が配設され、
前記流体駆動部の少なくとも一部は、前記積層方向からみた前記延出部の投影空間である配置空間（３２ａ）に配置されており、
前記パックケースの内部に収容されるとともに、前記パックケースの内部にて固定され、前記電池積層体を覆う積層体ケース（３０）をさらに備え、
前記流体通路を形成する壁面の少なくとも一部は前記積層体ケースの壁面であることを特徴とする電池パック。
【請求項３】
前記流体通路は、前記積層体ケースと前記パックケースとで形成された空間であることを特徴とする請求項１又は２に記載の電池パック。
【請求項４】
前記正極端子および前記負極端子は、前記電池積層体の同一面から突出しており、
前記流体駆動部は、前記電池積層体に対して、前記正極端子および前記負極端子の突出する側とは反対側に配置されていることを特徴とする請求項１乃至３のいずれか１項に記載の電池パック。
【請求項５】
電池本体部（２４）と、前記電池本体部から突出し、正極端子（２３１）及び負極端子（２３２）からなる電極端子（２３）とを有する電池（２１）が複数積層される電池積層体（２０）と、
前記電池積層体を内部に収容するパックケース（１０）と、
前記パックケースの外部から、前記パックケースの内部に形成された流体通路（６０）に前記電池積層体を冷却する流体を流動させる流体駆動部（４０）と、
複数の前記電池が積層される積層方向（Ｚ）に前記電池積層体を挟持する一対のエンドプレート（５０）を備える電池パックであって、
前記エンドプレートは、前記積層方向から見たときに複数の前記電池の投影領域と重なるプレート本体部（５１）と、前記プレート本体部から前記投影領域外に突出する突出部（５２）とを備え、
前記突出部には、前記積層方向に拘束力を加えて複数の前記電池を拘束する拘束部材（３１４）が配設され、
前記突出部の突出方向において、前記プレート本体部および前記突出部の双方と隣接する領域のうち前記投影領域の外の領域を配置領域（３１６）とした場合に、前記流体駆動部の少なくとも一部は、前記積層方向から見た前記配置領域の投影空間である配置空間（３２）に配置されており、
前記正極端子および前記負極端子は、前記電池積層体の同一面から突出しており、
前記流体駆動部は、前記電池積層体に対して、前記正極端子および前記負極端子の突出する側とは反対側に配置されていることを特徴とする電池パック。
【請求項６】
電池本体部（２４）と、前記電池本体部から突出し、正極端子（２３１）及び負極端子（２３２）からなる電極端子（２３）とを有する電池（２１）が複数積層される電池積層体（２０）と、
前記電池積層体を内部に収容するパックケース（１０）と、
前記パックケースの外部から、前記パックケースの内部に形成された流体通路（６０）に前記電池積層体を冷却する流体を流動させる流体駆動部（４０）と、
複数の前記電池が積層される積層方向（Ｚ）に前記電池積層体を挟持する一対のエンドプレート（５０）を備える電池パックであって、
前記エンドプレートは、前記積層方向から見たときに複数の前記電池の投影領域と重なるプレート本体部（５１）と、前記プレート本体部から前記投影領域の外部に延出する延出部（５３）とを備え、
前記延出部には、前記積層方向に拘束力を加えて複数の前記電池を拘束する拘束部材（３１４）が配設され、
前記流体駆動部の少なくとも一部は、前記積層方向からみた前記延出部の投影空間である配置空間（３２ａ）に配置されており、
前記正極端子および前記負極端子は、前記電池積層体の同一面から突出しており、
前記流体駆動部は、前記電池積層体に対して、前記正極端子および前記負極端子の突出する側とは反対側に配置されていることを特徴とする電池パック。
【請求項７】
前記流体通路における前記流体の流通方向において、前記電極端子は前記電池本体部よりも下流側に配置されていることを特徴とする請求項１乃至６のいずれか１項に記載の電池パック。
【請求項８】
電池本体部（２４）と、前記電池本体部から突出し、正極端子（２３１）及び負極端子（２３２）からなる電極端子（２３）とを有する電池（２１）が複数積層される電池積層体（２０）と、
前記電池積層体を内部に収容するパックケース（１０）と、
前記パックケースの外部から、前記パックケースの内部に形成された流体通路（６０）に前記電池積層体を冷却する流体を流動させる流体駆動部（４０）と、
複数の前記電池が積層される積層方向（Ｚ）に前記電池積層体を挟持する一対のエンドプレート（５０）を備える電池パックであって、
前記エンドプレートは、前記積層方向から見たときに複数の前記電池の投影領域と重なるプレート本体部（５１）と、前記プレート本体部から前記投影領域外に突出する突出部（５２）とを備え、
前記突出部には、前記積層方向に拘束力を加えて複数の前記電池を拘束する拘束部材（３１４）が配設され、
前記突出部の突出方向において、前記プレート本体部および前記突出部の双方と隣接する領域のうち前記投影領域の外の領域を配置領域（３１６）とした場合に、前記流体駆動部の少なくとも一部は、前記積層方向から見た前記配置領域の投影空間である配置空間（３２）に配置されており、
前記流体通路における前記流体の流通方向において、前記電極端子は前記電池本体部よりも下流側に配置されていることを特徴とする電池パック。
【請求項９】
電池本体部（２４）と、前記電池本体部から突出し、正極端子（２３１）及び負極端子（２３２）からなる電極端子（２３）とを有する電池（２１）が複数積層される電池積層体（２０）と、
前記電池積層体を内部に収容するパックケース（１０）と、
前記パックケースの外部から、前記パックケースの内部に形成された流体通路（６０）に前記電池積層体を冷却する流体を流動させる流体駆動部（４０）と、
複数の前記電池が積層される積層方向（Ｚ）に前記電池積層体を挟持する一対のエンドプレート（５０）を備える電池パックであって、
前記エンドプレートは、前記積層方向から見たときに複数の前記電池の投影領域と重なるプレート本体部（５１）と、前記プレート本体部から前記投影領域の外部に延出する延出部（５３）とを備え、
前記延出部には、前記積層方向に拘束力を加えて複数の前記電池を拘束する拘束部材（３１４）が配設され、
前記流体駆動部の少なくとも一部は、前記積層方向からみた前記延出部の投影空間である配置空間（３２ａ）に配置されており、
前記流体通路における前記流体の流通方向において、前記電極端子は前記電池本体部よりも下流側に配置されていることを特徴とする電池パック。
【請求項１０】
前記電池積層体は、複数の前記電池と、熱伝導性を有し、前記電池に接触して配設される熱伝導部材（２２）をそれぞれ複数積層して構成されており、
前記熱伝導部材は、前記電池積層体から前記流体通路に突出しており、
前記流体通路における前記流体の流通方向の下流側において前記熱伝導部材が前記流体と接触する面積は、上流側において前記熱伝導部材が前記流体と接触する面積よりも大きいことを特徴とする請求項７乃至９のいずれか１項に記載の電池パック。
【請求項１１】
前記電極端子は、前記電池本体部から前記積層方向と直交する方向へ突出しており、
前記流体通路は、前記積層方向および前記電極端子の突出する方向の双方に直交する方向における前記電池積層体の両側に配置されていることを特徴とする請求項１乃至１０のいずれか１項に記載の電池パック。
【請求項１２】
前記流体駆動部の全部が前記配置空間内に収まっていることを特徴とする請求項１乃至１１のいずれか１項に記載の電池パック。
【請求項１３】
電池本体部（２４）と、前記電池本体部から突出し、正極端子（２３１）及び負極端子（２３２）からなる電極端子（２３）とを有する電池（２１）が複数積層される電池積層体（２０）と、
前記電池積層体を内部に収容するパックケース（１０）と、
前記パックケースの外部から、前記パックケースの内部に形成された流体通路（６０）に前記電池積層体を冷却する流体を流動させる流体駆動部（４０）と、
複数の前記電池が積層される積層方向（Ｚ）に前記電池積層体を挟持する一対のエンドプレート（５０）を備える電池パックであって、
前記エンドプレートは、前記積層方向から見たときに複数の前記電池の投影領域と重なるプレート本体部（５１）と、前記プレート本体部から前記投影領域外に突出する突出部（５２）とを備え、
前記突出部には、前記積層方向に拘束力を加えて複数の前記電池を拘束する拘束部材（３１４）が配設され、
前記突出部の突出方向において、前記プレート本体部および前記突出部の双方と隣接する領域のうち前記投影領域の外の領域を配置領域（３１６）とした場合に、前記流体駆動部の少なくとも一部は、前記積層方向から見た前記配置領域の投影空間である配置空間（３２）に配置されており、
前記流体駆動部の全部が前記配置空間内に収まっていることを特徴とする電池パック。
【請求項１４】
電池本体部（２４）と、前記電池本体部から突出し、正極端子（２３１）及び負極端子（２３２）からなる電極端子（２３）とを有する電池（２１）が複数積層される電池積層体（２０）と、
前記電池積層体を内部に収容するパックケース（１０）と、
前記パックケースの外部から、前記パックケースの内部に形成された流体通路（６０）に前記電池積層体を冷却する流体を流動させる流体駆動部（４０）と、
複数の前記電池が積層される積層方向（Ｚ）に前記電池積層体を挟持する一対のエンドプレート（５０）を備える電池パックであって、
前記エンドプレートは、前記積層方向から見たときに複数の前記電池の投影領域と重なるプレート本体部（５１）と、前記プレート本体部から前記投影領域の外部に延出する延出部（５３）とを備え、
前記延出部には、前記積層方向に拘束力を加えて複数の前記電池を拘束する拘束部材（３１４）が配設され、
前記流体駆動部の少なくとも一部は、前記積層方向からみた前記延出部の投影空間である配置空間（３２ａ）に配置されており、
前記流体駆動部の全部が前記配置空間内に収まっていることを特徴とする電池パック。
【請求項１５】
前記流体駆動部は、ファン（４２）と、前記ファンを内部に収納し、前記ファンの回転によって前記流体を吸入し吐出するケーシング（４３）を備えており、
前記ケーシングから前記流体が吐出される吐出口（４３２）は、前記流体通路に接続されていることを特徴とする請求項１乃至１４のいずれか１項に記載の電池パック。
【発明の詳細な説明】
【技術分野】
【０００１】
本発明は、複数の電池を積層して電池スタックを形成し、この電池スタックを電池パックケース内に収容した電池パックに関する。
【背景技術】
【０００２】
従来から、電気自動車等に用いられ、走行用モータの駆動電源等となる二次電池を電池パックケース内に収容した電池パックが知られている。二次電池を構成する単位電池セルは、電流によるジュール熱や充放電時の化学反応によって、電極端子や電極内部において発熱する。そのため、電池パック内において発生した熱を放熱する必要があり、その一手段として特許文献１に開示のものが知られている。特許文献１に記載の電池パックは、吸込み型の遠心ファンによって電池パックケース内に冷却風が導入される。そして、電池パックケース内に設けられた通路を冷却風が通過する過程で、冷却風は電池セルから吸熱し、吸熱した冷却風は遠心ファンを介して電池パックケース外へ排出される。
【先行技術文献】
【特許文献】
【０００３】
【特許文献１】特許第５１１９７２７号公報
【発明の概要】
【発明が解決しようとする課題】
【０００４】
ここで、遠心ファンを用いた冷却風の排出においては、電池パックケース内部を流通した冷却風を遠心ファンの軸方向から吸い込む必要がある。そのため、特許文献１に記載の電池パックでは、電池パックケースに設けられた排出口に対向するように、遠心ファンが電池パックケース外に配置されている。そのため、電池パックは遠心ファンの体格分大型化してしまう。
【０００５】
本発明は、上記問題点に鑑みてなされたものであり、小型化可能な電池パックを提供することを目的とする。
【課題を解決するための手段】
【０００６】
本発明のひとつである電池パックは、電池本体部（２４）と、電池本体部から突出し、正極端子（２３１）及び負極端子（２３２）からなる電極端子（２３）とを有する電池（２１）が複数積層される電池積層体（２０）と、電池積層体を内部に収容するパックケース（１０）と、パックケースの外部から、パックケースの内部に形成された流体通路（６０）に電池積層体を冷却する流体を流動させる流体駆動部（４０）と、複数の電池が積層される積層方向（Ｚ）に電池積層体を挟持する一対のエンドプレート（５０）を備える電池パックであって、エンドプレートは、積層方向から見たときに複数の電池の投影領域と重なるプレート本体部（５１）と、プレート本体部から投影領域外に突出する突出部（５２）とを備え、突出部には、積層方向に拘束力を加えて複数の電池を拘束する拘束部材（３１４）が配設され、突出部の突出方向において、プレート本体部および突出部の双方と隣接する領域のうち投影領域外の領域を配置領域（３１６）とした場合に、流体駆動部の少なくとも一部は、積層方向から見た配置領域の投影空間である配置空間（３２）に配置されており、パックケースの内部に収容されるとともに、パックケースの内部にて固定され、電池積層体を覆う積層体ケース（３０）をさらに備え、流体通路を形成する壁面の少なくとも一部は積層体ケースの壁面であることを特徴とする。
【０００７】
本発明によって得られる効果について説明する。複数の電池を拘束する拘束部材を配置するスペースとして、電池の投影領域外に本体部から突出した突出部を設けると、突出部の先端までが電池パックが占有するスペースとなる。よって、本体部からリブ部が突出する分、リブ部の突出方向において、本体部及びリブ部の双方に隣接する領域のうち電池の投影領域外の領域（以下、領域Ａという）は、デッドスペースとなりやすい。そこで、流体駆動部の少なくとも一部を領域Ａに配置することで、流体駆動部が領域Ａに配置されていない場合と比較して電池パック全体の体格の小型化が可能となる。
【０００８】
本発明のひとつである電池パックは、電池本体部（２４）と、電池本体部から突出し、正極端子（２３１）及び負極端子（２３２）からなる電極端子（２３）とを有する電池（２１）が複数積層される電池積層体（２０）と、電池積層体を内部に収容するパックケース（１０）と、パックケースの外部から、パックケースの内部に形成された流体通路（６０）に電池積層体を冷却する流体を流動させる流体駆動部（４０）と、複数の電池が積層される積層方向（Ｚ）に電池積層体を挟持する一対のエンドプレート（５０）を備える電池パックであって、エンドプレートは、積層方向から見たときに複数の電池の投影領域と重なるプレート本体部（５１）と、プレート本体部から投影領域の外部に延出する延出部（５３）とを備え、延出部には、積層方向に拘束力を加えて複数の電池を拘束する拘束部材（３１４）が配設され、流体駆動部の少なくとも一部は、積層方向からみた延出部の投影空間である配置空間（３２ａ）に配置されており、パックケースの内部に収容されるとともに、パックケースの内部にて固定され、電池積層体を覆う積層体ケース（３０）をさらに備え、流体通路を形成する壁面の少なくとも一部は積層体ケースの壁面であることを特徴とする。
本発明のひとつである電池パックは、電池本体部（２４）と、電池本体部から突出し、正極端子（２３１）及び負極端子（２３２）からなる電極端子（２３）とを有する電池（２１）が複数積層される電池積層体（２０）と、電池積層体を内部に収容するパックケース（１０）と、パックケースの外部から、パックケースの内部に形成された流体通路（６０）に電池積層体を冷却する流体を流動させる流体駆動部（４０）と、複数の電池が積層される積層方向（Ｚ）に電池積層体を挟持する一対のエンドプレート（５０）を備える電池パックであって、エンドプレートは、積層方向から見たときに複数の電池の投影領域と重なるプレート本体部（５１）と、プレート本体部から投影領域外に突出する突出部（５２）とを備え、突出部には、積層方向に拘束力を加えて複数の電池を拘束する拘束部材（３１４）が配設され、突出部の突出方向において、プレート本体部および突出部の双方と隣接する領域のうち投影領域の外の領域を配置領域（３１６）とした場合に、流体駆動部の少なくとも一部は、積層方向から見た配置領域の投影空間である配置空間（３２）に配置されており、正極端子および負極端子は、電池積層体の同一面から突出しており、流体駆動部は、電池積層体に対して、正極端子および負極端子の突出する側とは反対側に配置されていることを特徴とする。
本発明のひとつである電池パックは、電池本体部（２４）と、電池本体部から突出し、正極端子（２３１）及び負極端子（２３２）からなる電極端子（２３）とを有する電池（２１）が複数積層される電池積層体（２０）と、電池積層体を内部に収容するパックケース（１０）と、パックケースの外部から、パックケースの内部に形成された流体通路（６０）に電池積層体を冷却する流体を流動させる流体駆動部（４０）と、複数の電池が積層される積層方向（Ｚ）に電池積層体を挟持する一対のエンドプレート（５０）を備える電池パックであって、エンドプレートは、積層方向から見たときに複数の電池の投影領域と重なるプレート本体部（５１）と、プレート本体部から投影領域の外部に延出する延出部（５３）とを備え、延出部には、積層方向に拘束力を加えて複数の電池を拘束する拘束部材（３１４）が配設され、流体駆動部の少なくとも一部は、積層方向からみた延出部の投影空間である配置空間（３２ａ）に配置されており、正極端子および負極端子は、電池積層体の同一面から突出しており、流体駆動部は、電池積層体に対して、正極端子および負極端子の突出する側とは反対側に配置されていることを特徴とする。
本発明のひとつである電池パックは、電池本体部（２４）と、電池本体部から突出し、正極端子（２３１）及び負極端子（２３２）からなる電極端子（２３）とを有する電池（２１）が複数積層される電池積層体（２０）と、電池積層体を内部に収容するパックケース（１０）と、パックケースの外部から、パックケースの内部に形成された流体通路（６０）に電池積層体を冷却する流体を流動させる流体駆動部（４０）と、複数の電池が積層される積層方向（Ｚ）に電池積層体を挟持する一対のエンドプレート（５０）を備える電池パックであって、エンドプレートは、積層方向から見たときに複数の電池の投影領域と重なるプレート本体部（５１）と、プレート本体部から投影領域外に突出する突出部（５２）とを備え、突出部には、積層方向に拘束力を加えて複数の電池を拘束する拘束部材（３１４）が配設され、突出部の突出方向において、プレート本体部および突出部の双方と隣接する領域のうち投影領域の外の領域を配置領域（３１６）とした場合に、流体駆動部の少なくとも一部は、積層方向から見た配置領域の投影空間である配置空間（３２）に配置されており、流体通路における流体の流通方向において、電極端子は電池本体部よりも下流側に配置されていることを特徴とする。
本発明のひとつである電池パックは、電池本体部（２４）と、電池本体部から突出し、正極端子（２３１）及び負極端子（２３２）からなる電極端子（２３）とを有する電池（２１）が複数積層される電池積層体（２０）と、電池積層体を内部に収容するパックケース（１０）と、パックケースの外部から、パックケースの内部に形成された流体通路（６０）に電池積層体を冷却する流体を流動させる流体駆動部（４０）と、複数の電池が積層される積層方向（Ｚ）に電池積層体を挟持する一対のエンドプレート（５０）を備える電池パックであって、エンドプレートは、積層方向から見たときに複数の電池の投影領域と重なるプレート本体部（５１）と、プレート本体部から投影領域の外部に延出する延出部（５３）とを備え、延出部には、積層方向に拘束力を加えて複数の電池を拘束する拘束部材（３１４）が配設され、流体駆動部の少なくとも一部は、積層方向からみた延出部の投影空間である配置空間（３２ａ）に配置されており、流体通路における流体の流通方向において、電極端子は電池本体部よりも下流側に配置されていることを特徴とする。
本発明のひとつである電池パックは、電池本体部（２４）と、電池本体部から突出し、正極端子（２３１）及び負極端子（２３２）からなる電極端子（２３）とを有する電池（２１）が複数積層される電池積層体（２０）と、電池積層体を内部に収容するパックケース（１０）と、パックケースの外部から、パックケースの内部に形成された流体通路（６０）に電池積層体を冷却する流体を流動させる流体駆動部（４０）と、複数の電池が積層される積層方向（Ｚ）に電池積層体を挟持する一対のエンドプレート（５０）を備える電池パックであって、エンドプレートは、積層方向から見たときに複数の電池の投影領域と重なるプレート本体部（５１）と、プレート本体部から投影領域外に突出する突出部（５２）とを備え、突出部には、積層方向に拘束力を加えて複数の電池を拘束する拘束部材（３１４）が配設され、突出部の突出方向において、プレート本体部および突出部の双方と隣接する領域のうち投影領域の外の領域を配置領域（３１６）とした場合に、流体駆動部の少なくとも一部は、積層方向から見た配置領域の投影空間である配置空間（３２）に配置されており、流体駆動部の全部が配置空間内に収まっていることを特徴とする。
本発明のひとつである電池パックは、電池本体部（２４）と、電池本体部から突出し、正極端子（２３１）及び負極端子（２３２）からなる電極端子（２３）とを有する電池（２１）が複数積層される電池積層体（２０）と、電池積層体を内部に収容するパックケース（１０）と、パックケースの外部から、パックケースの内部に形成された流体通路（６０）に電池積層体を冷却する流体を流動させる流体駆動部（４０）と、複数の電池が積層される積層方向（Ｚ）に電池積層体を挟持する一対のエンドプレート（５０）を備える電池パックであって、エンドプレートは、積層方向から見たときに複数の電池の投影領域と重なるプレート本体部（５１）と、プレート本体部から投影領域の外部に延出する延出部（５３）とを備え、延出部には、積層方向に拘束力を加えて複数の電池を拘束する拘束部材（３１４）が配設され、流体駆動部の少なくとも一部は、積層方向からみた延出部の投影空間である配置空間（３２ａ）に配置されており、流体駆動部の全部が配置空間内に収まっていることを特徴とする。
なお、特許請求の範囲における括弧内の符号は、記載内容の理解を容易にすべく、後述する実施形態において対応する構成を例示するものに留まり、発明の内容を限定することを意図したものではない。
【図面の簡単な説明】
【０００９】
【図１】第１実施形態における電池パックの部分破断斜視図である。
【図２】図１におけるＩＩ−ＩＩ矢視断面図である。
【図３】積層方向に見たときのケースブロックの上面図である。
【図４】積層方向に見たときのエンドプレートの上面図である。
【図５】図１におけるＶ−Ｖ矢視断面図である。
【図６】第２実施形態における電池パックの積層方向の断面図である。
【図７】第３実施形態における電池パックの部分破断斜視図である。
【図８】第３実施形態におけるエンドプレートの上面図である。
【図９】他の実施形態におけるケースブロックの上面図である。
【図１０】他の実施形態におけるエンドプレートの上面図である。
【図１１】他の実施形態におけるケースブロックの上面図である。
【図１２】他の実施形態におけるエンドプレートの上面図である。
【図１３】比較例の説明図である。
【発明を実施するための形態】
【００１０】
（第１実施形態）
以下、本発明の第１実施形態について、図に基づき説明する。
【００１１】
図１に示すように、本実施形態における電池パック１は、パックケース１０、電池積層体２０、積層体ケース３０、送風機４０、エンドプレート５０、および流体通路６０を備える。なお、図１は電池パック１のカットモデルであり、実際は図１の角度から見た場合、電池積層体２０、積層体ケース３０、エンドプレート５０、および流体通路６０はパックケース１０によって覆われている。また、図２以降は、図１に示すカットモデルを基にした図面ではなく、パックケース１０によって内部が閉塞された電池パック１をもとにした図面として示す。
【００１２】
パックケース１０は、略直方体形状をしており、底壁１１、天壁１２、側壁１３，１４を備える。パックケース１０は、底壁１１、天壁１２および側壁１３，１４によって囲まれた内部空間に、電池積層体２０、積層体ケース３０、送風機４０、エンドプレート５０を内部に収容する筐体である。側壁１３、１４は互いに接触せず、底壁１１および天壁１２の端部に側壁１３、１４を接触させた状態で側壁１３，１４の間に形成される空間に送風機４０が配置される。底壁１１、天壁１２および側壁１３，１４のそれぞれには、底壁１１、天壁１２および側壁１３，１４を一体に固定するためのシャフト１５が貫通する貫通孔１６が形成されている。
【００１３】
電池積層体２０は、複数の単電池２１、熱伝導部材２２を備える。複数の単電池２１は、一対のラミネートフィルムよりなる可撓性の扁平状容器と、四角形状の電池本体部２４とを有し、扁平状容器の周縁部が封止されることで扁平状容器内に電池本体が密封状態で収容されている。各単電池２１は、板状をなし、電池本体部２４から外方へ引き出された一対の電極端子２３を有している。一対の電極端子２３は、正極端子２３１および負極端子２３２を有している。正極端子２３１および負極端子２３２はともに、電池本体部２４の、積層方向Ｚと直交する方向における一端面から突出している。本実施形態では正極端子２３１がアルミニウムよりなり、負極端子２３２が銅よりなる。なお、複数の単電池２１が、特許請求の範囲における「複数の電池」に相当する。
【００１４】
図２に示すように、複数の単電池２１は、各単電池２１の間に熱伝導部材２２を挟んで図２の積層方向Ｚに積層されている。具体的には、積層方向Ｚにおいて隣り合う単電池２１同士で、正極端子２３１と負極端子２３２とが互い違いになる向きで配置されている。つまり、積層方向Ｚにおいて、隣り合う単電池２１のうち一方の正極端子２３１と他方の負極端子２３２とが向き合っている。この場合、隣り合う単電池２１同士で、一方の正極端子２３１と他方の負極端子２３２とをバスバ等で接続することで複数の単電池２１が直列接続されることとなる。
【００１５】
各単電池２１の間には、両面接着タイプの接着テープが介在しており、この接着テープによる接着により、隣り合う単電池２１同士が一体化されている。
【００１６】
互いに電気的に接続される各単電池２１の正極端子２３１および負極端子２３２は、互いに近づく側に折り曲げられることで重ね合わされ、重なっている部分で互いに接合されている。接合方法の一例としては、超音波溶着などが用いられる。
【００１７】
熱伝導部材２２は、アルミニウムなどの熱伝導率の良い材料で構成される板状の部材であり、複数の単電池２１への通電により発生した熱を流体通路６０を流れる流体へ伝達させる役割を担う。図２に示すように、横方向Ｘにおいて、熱伝導部材２２は、単電池２１の外形よりも突出している。具体的には、熱伝導部材２２は、流体通路６０の直線通路６３に突出している。さらにいうと、熱伝導部材２２は、流体通路６０の出口通路６４には突出していない。熱伝導部材２２は、積層方向Ｚおよび電極端子２３の突出する方向（奥行き方向Ｙ）の双方に直交する方向に単電池２１の外形の外に突出している。
【００１８】
熱伝導部材２２の端部には、流体と熱伝導部材２２の熱交換用のフィン２２１が複数個形成されている。具体的には、流体通路６０に突出している部分にフィン２２１が形成されている。フィン２２１としては、コルゲートフィンや切り起こしフィンなどが考えられる。
【００１９】
本実施形態では、５つのフィン２２１で一つのフィン群を構成しており、１枚の熱伝導部材２２に８群形成されている。各フィン群の間隔は均等である。流体は流体通路６０を流下する過程で、フィン２２１と接触することで各単電池２１の熱を吸熱する。
【００２０】
積層体ケース３０は、図３に示すような中空の樹脂部材であるケースブロック３１を積層方向Ｚに複数個積層して構成されている。そして、複数のケースブロック３１が積層方向Ｚに積層されるとともに、各ケースブロック３１の中空部分が積層されることで形成される内部空間Ｓに複数の単電池２１が配置される。ケースブロック３１の厚みは、単電池２１ひとつの積層方向Ｚの厚みよりもわずかに小さい。これは、熱伝導部材２２を内部空間Ｓから流体通路６０まで貫通させるためのスペースを確保するためである。具体的には、電池積層体２０を積層方向Ｚと直交する方向にみたときに、ケースブロック３１と熱伝導部材２２との間にパッキンが配置されることで、積層方向Ｚにおける寸法公差の吸収や気密性の確保を実現している。
【００２１】
ケースブロック３１は、中空部分を４方向から覆うように連続的に形成されたブロック側壁３１１と、ブロック側壁３１１の４隅に、積層方向Ｚと直交する方向に突出するように形成された突出部３１２を備える。
【００２２】
それぞれの突出部３１２には、積層方向Ｚに貫通する第１貫通孔３１３が形成されている。第１貫通孔３１３には、たとえば雄ネジ部が形成された棒状の固定部材３１４が挿通され、ナット締めされることで、複数のケースブロック３１は一体的に拘束される。さらに詳細には、エンドプレート５０のプレートリブ部５２に形成された第２貫通孔５２１にも固定部材３１４が挿通され、エンドプレート５０と複数のケースブロック３１が一体的に拘束される。なお、ブロック側壁３１１と突出部３１２は一体的に形成されている。なお、固定部材３１４が、特許請求の範囲における「拘束部材」に相当する。
【００２３】
エンドプレート５０は、積層方向Ｚにおいて、積層された複数の単電池２１の両端に配置された金属製の板状部材である。また、積層方向Ｚからみたときに、エンドプレート５０の外形は、複数の単電池２１の投影面積より大きい。
【００２４】
図４に示すように、エンドプレート５０は、プレート本体部５１およびプレートリブ部５２を備える。プレート本体部５１は、積層方向Ｚにみたときに、複数の単電池２１の投影面と重なる領域に配置された部分である。つまり、積層方向Ｚにみたときに、ケースブロック３１の中空部分と投影面が重なっている。なお、プレート本体部５１は、特許請求の範囲における「プレート本体部」に相当し、プレートリブ部５２は、「突出部」に相当する。
【００２５】
プレートリブ部５２は、プレート本体部５１から積層方向Ｚに直交する方向に突出する部分である。プレートリブ部５２は、プレート本体部５１の４隅から突出形成されている。プレートリブ部５２は、プレート本体部５１の一面から２つ突出形成され、積層方向Ｚに直交する方向において反対側の一面から２つ突出形成されている。具体的には、積層された複数の単電池２１を積層方向Ｚに覆うように配設した状態において、プレートリブ部５２は突出部３１２に対向するように配置される。また、プレートリブ部５２には、積層方向Ｚに貫通する第２貫通孔５２１が形成されている。第２貫通孔５２１には、前述したとおり、エンドプレート５０と複数のケースブロック３１を一体化するための固定部材３１４が挿通される。積層方向Ｚにみたときに、積層された複数の単電池２１を積層方向Ｚの外側から覆うように配設した状態において、第１貫通孔３１３と第２貫通孔５２１は対向するように配置されている。
【００２６】
積層方向Ｚからみたときに、プレート本体部５１の一面から突出形成されているプレートリブ部５２とプレート本体部５１とで挟まれた間に位置する空間、いわば２つのプレートリブ部５２の突出する方向においてプレートリブ部５２とプレート本体部５１の双方に隣接する空間が第２配置空間３１６である。なお、第２配置空間３１６が特許請求の範囲における「配置領域」に相当する。
【００２７】
第１配置空間３１５および第２配置空間３１６をあわせて、送風機４０の一部が配置される配置空間３２を構成している。積層方向Ｚにみたときに、配置空間３２は、ケースブロック３１およびエンドプレート５０の外形における凹状の部分に相当する。なお、配置空間３２が特許請求の範囲における「積層方向から見た配置領域の投影空間」に相当する。
【００２８】
プレート本体部５１は、積層された単電池２１のうち積層方向Ｚにおいて最も外側にある単電池を積層方向Ｚに押圧する役割を担う。押圧力は、固定部材３１４により得られる。つまり、固定部材３１４は、第１貫通孔３１３および第２貫通孔５２１に挿通されてエンドプレート５０とケースブロック３１を一体化する機能を有する。また、固定部材３１４は予め決められた一定の寸法となるように製造されており、積層方向Ｚの両側からナット等で締め付けられることにより、積層方向Ｚに押圧力Ｆが加えられる。その押圧力Ｆにより、プレート本体部５１は複数の単電池に対して押圧力を加えることとなる。なお、一定の寸法とは、ナットで締めた状態でプレート本体部５１が複数の単電池２１に押圧力を加えられる程度に設定されるものである。なお、固定部材３１４はシャフトをナット締めする形態のほか、拘束バンドによって拘束するなどの形態が考えうる。
【００２９】
また、積層された複数の単電池２１のうち積層方向Ｚにおいて最も外側の単電池とエンドプレート５０は接着プレートにより密着している。エンドプレート５０は、積層方向Ｚの一方側から２枚重ね合されて複数の単電池２１を押圧している。これは、エンドプレート５０の剛性を確保するためである。
【００３０】
送風機４０は、パックケース１０の内部に収容された電池を冷却する流体を、パックケース１０の内部に形成された流体通路６０に循環させる流体駆動部の一例である。電池冷却のための流体としては、たとえば空気、各種ガス、水、冷媒を用いることができる。なお、送風機４０が特許請求の範囲における「流体駆動部」に相当する。
【００３１】
図５に示すように、送風機４０は、モータ４１、モータ４１により回転駆動される遠心ファン４２、遠心ファン４２を内蔵するケーシング４３を備える。また、ケーシング４３は、流体通路６０の一部である吸入口４３１および吐出口４３２を備える。送風機４０は、制御装置によって制御される。具体的には、各単電池２１は、電流が取り出される出力時及び充電される入力時に自己発熱する。電池監視ユニットは、各単電池２１の温度を常時モニタし、送風機４０の運転はモニタされる各単電池２１の温度に応じて制御される。なお、遠心ファン４２は、特許請求の範囲における「ファン」に相当する。
【００３２】
送風機４０は、積層方向Ｚに直交する方向における、電極端子２３の突出する側とは反対側の電池積層体２０の面に対向するように配置されている。
【００３３】
遠心ファン４２は、図１における横方向Ｘにおける電池パック１の中央に配置されている。同様に、モータ４１および吸入口４３１は、方向における電池パック１の中央に配置されている。吐出口４３２は、遠心ファン４２の遠心方向に配置されている。吐出口４３２は、横方向Ｘにおける遠心ファン４２の両側に配置されている。
【００３４】
吸入口４３１は、ケーシング４３の吸込み口を構成し、遠心ファン４２の回転軸方向に延びる通路である。また、吸入口４３１は、遠心ファン４２によってパックケース１０の外部から吸い込まれた流体がパックケース１０の内部において初めに通過する通路である。
【００３５】
吐出口４３２は、遠心ファン４２に対して遠心方向に配置されており、吸入口４３１から吸い込まれた流体は吐出口４３２から流体通路６０へ流れ込む。吐出口４３２は、流体通路６０と接続されている。具体的には、吐出口４３２を構成するケーシング４３の壁面が、流体通路６０を構成する壁面であるケースブロック３１の外壁面およびパックケース１０の内壁面と接続されている。つまり、流体が吐出口４３２から流体通路６０へスムーズに流れるように構成されている。
【００３６】
モータ４１は、配置空間３２に配置されている。つまり、モータ４１は配置空間３２に収まっており、遠心ファン４２は配置空間３２の外側に配置されている。横方向Ｘにおいて、プレートリブ部５２とモータ４１は一直線上に配置されている。
【００３７】
流体通路６０は、電池パック１の内部において、複数の単電池２１を冷却するための流体が通過する通路である。具体的には、各単電池２１において発生した熱は、流体通路６０に突出した熱伝導部材２２に伝達し、熱伝導部材２２に流体が当たることで流体は熱伝導部材２２から熱を奪う。流体通路６０は、積層されたケースブロック３１およびパックケース１０の間に形成された領域である。
【００３８】
流体通路６０は、湾曲通路６２、直線通路６３、出口通路６４を備える。湾曲通路６２は、吐出口４３２と連通する通路であり、ケースブロック３１の突出部３１２に隣接する領域である。湾曲通路６２は、吐出口４３２から吐出した流体がスムーズに直線通路６３へ流れるように、積層方向Ｚに見たときに曲線形状をなしている。
【００３９】
直線通路６３は、横方向Ｘにおいて、電池積層体２０の両側に配置されている。直線通路６３は、ケースブロック３１のブロック側壁３１１に隣接する領域である。直線通路６３は、奥行き方向Ｙにおいて、電池積層体２０に沿って延びるように配置されている。なお、流体が電極端子２３と接触しないよう、直線通路６３と電極端子２３の配置される領域は隔絶されている。これは、流体による電極端子２３の腐食等を防止するためである。また、フィン２２１は、直線通路６３における上流から下流まで万遍なく形成されている。
【００４０】
流体通路６０は、単電池２１に対して、電池本体部２４に隣接する領域に沿って配置される。本実施形態において、流体通路６０を構成するための専用のダクトは電池パック１の内部において設けられていない。
【００４１】
出口通路６４は、直線通路６３に連通して設けられる通路である。出口通路６４は、奥行き方向Ｙにおける、送風機４０が配置されている側とは反対側の電池本体部２４の端部に隣接する位置に配置されている。つまり、流体が電池パック１の内部を流下する過程で、出口通路６４において最も流体は電極端子２３に接近する。
【００４２】
パックケース１０には横方向Ｘに開口する流体出口６１が形成されている。流体出口６１は、電池パック１の内部において流れた流体をパックケース１０の外部に排出するための出口である。流体出口６１は、奥行き方向Ｙにおける、送風機４０が配置されている側とは反対側の電池本体部２４の端部に隣接する位置に形成されている。出口通路６４は、流体出口６１に連通している。
【００４３】
次に、流体の流れについて説明する。
【００４４】
モータ４１により回転駆動する遠心ファン４２によって、パックケース１０の外部から吸入口４３１を介して流体が軸方向（奥行き方向Ｙ）電池パック１内に導入される。流体は遠心ファン４２によって、自身の流れ方向を遠心方向（横方向Ｘ）に変える。そして、吐出口４３２から流体通路６０へ流体は流れる。吐出口４３２から吐出された流体は、まず湾曲通路６２を流れる。この過程で、流体はケースブロック３１の突出部３１２と接触する。湾曲通路６２を流れた流体は、次に直線通路６３を流下する。この過程で、熱伝導部材２２に形成されたフィン２２１と流体が接触することで各単電池２１に発生した熱が放熱される。フィン２２１間を流下した流体は、出口通路６４に流れ込み、電極端子２３に最も接近する。この過程で、流体は電極端子２３から熱を奪う。具体的には、電極端子２３から電極端子２３近傍に配置されている熱伝導部材２２に熱が伝導し、その熱伝導部材２２が流体通路６０において流体と接触することで、電極端子２３の発熱は放熱される。そして、流体は流体出口６１からパックケース１０外部へ排出される。この一連の流れが繰り返されることで、各単電池２１の熱はパックケース１０の外部へ放熱される。
【００４５】
電池パック１内において、直線通路６３が上流側、出口通路６４が下流側となる。つまり、流体は、先に電池本体部２４と熱交換を行い、そのあとで電極端子２３と熱交換を行うこととなる。
【００４６】
流体は、電池パック１内でみたときに、電池積層体２０における電極端子２３が配置された側とは反対側、つまり送風機４０付近において最も温度が低い。そして、湾曲通路６２、直線通路６３、出口通路６４と流下していく過程で単電池２１の熱を吸熱していき、徐々に温度が高くなって流体出口６１における流体の温度が最も高い。
【００４７】
次に、本実施形態によって得られる効果について説明する。
【００４８】
（１）プレート本体部５１は、積層方向Ｚから見たときに単電池２１の投影領域と重なる部分である。そのため、本実施形態のように、固定部材３１４として、エンドプレート５０およびケースブロック３１を積層方向Ｚに貫通するシャフトを用いる場合には、複数の単電池２１を拘束するための固定部材３１４を配置するスペースとして、単電池２１の投影領域外、つまりプレート本体部５１から突出したプレートリブ部５２を設ける必要がある。一方で、プレート本体部５１からプレートリブ部５２が突出する分、プレートリブ部５２の突出方向において、プレート本体部５１及びプレートリブ部５２の双方に隣接する領域である配置空間３２は、デッドスペースとなりやすい。この部分は、単電池２１が配置されるでもなく、固定部材３１４も配置されていない領域だからである。そこで、送風機４０の一部であるモータ４１を配置空間３２に収まるように配置することで、デッドスペースを有効活用できる。したがって、モータ４１が配置空間３２に配置されていない場合と比較して電池パック１全体の体格の小型化が可能となる。
【００４９】
（２）吐出口４３２は流体通路６０の一部である湾曲通路６２と連通している。具体的には、吐出口４３２を構成するケーシング４３の壁面が、流体通路６０を構成する壁面であるケースブロック３１の外壁面およびパックケース１０の内壁面と接続されている。そのため、吐出口４３２が湾曲通路６２と連通していない場合と比較して、送風機４０によってパックケース１０内部に導入された流体が吐出口４３２からスムーズに湾曲通路６２へ導かれる。したがって、流体の圧損による冷却性能低下を抑制できる。
【００５０】
（３）流体通路６０を形成する壁面の一部は、積層体ケース３０の壁面となっている。したがって、別途電池パック１の内部に設けたダクトで流体通路６０の壁面を形成する場合と比較して、電池パック１の小型化が可能となる。さらに、本実施形態では、流体通路６０は、積層体ケース３０とパックケース１０との間に形成された空間である。つまり、専用のダクトを設けずとも、既存の積層体ケース３０およびパックケース１０を利用することで流体通路６０を形成することができる。したがって、専用のダクトを別途設ける場合と比較して電池パック１の小型化が可能となる。
【００５１】
（４）電極端子２３には電流が流れるため、電極端子２３が突出する側に送風機４０を配置すると、送風機４０と電極端子２３間の絶縁距離を確保するためのスペースが必要となり、電池パック１が大型化しやすい。しかし、本実施形態では、送風機４０は、積層方向Ｚに直交する方向における、電極端子２３の突出する側とは反対側の電池積層体２０の面に対向するように配置されている。そのため、送風機４０と電極端子２３の絶縁距離を別途確保する必要がなく、電池パック１の大型化を抑制できる。
【００５２】
（５）図１３に示すように、積層方向Ｚと直交する方向において正極端子２３１が突出する電池本体部２４の面とは反対側の面から負極端子２３２が突出する場合（以下、比較例１という）には、電池本体部２４の外形から２つの端子の体格分、単電池２１が大型化する。ひいては、単電池２１を搭載する電池パック１の大型化につながる。しかし、本実施形態では、電極端子２３を構成する正極端子２３１および負極端子２３２はどちらも、電池本体部２４の同一面から突出している。そのため、電池本体部２４から突出する電極端子２３の体格は、一つの端子の体格分で済むため、上述した比較例と比較して、単電池２１の小型化が可能となり、電池パック１の小型化に寄与する。なお、図１３に示す比較例において、体格を本実施形態における電池パック１と同等としようとすると、電池本体部２４の体格を小さくする必要がある。しかし、電池本体部２４は発熱部分であり、その体格を所定体格以上小さくすると、熱集中により寿命が短命化するなどの問題が生じる虞があるため好ましくない。
【００５３】
（６）一般に、電池本体部２４の発熱量よりも電極端子２３の発熱量のほうが大きい。また、流体の冷却性能は、発熱体と流体の温度差に比例する。流体の流通方向において、電池本体部２４よりも電極端子２３のほうが上流側にある場合、流体がパックケース１０内を流れる過程で、先に電極端子２３から多量の熱を吸熱し、高温となる。そのため、下流側にて流体と電池本体部２４との温度差は小さく、電池本体部２４に対して冷却性能を発揮することは困難となる。しかし、本実施形態では、流体の流れる方向において、電極端子２３が電池本体部２４よりも下流側に配置されている。そのため、流体が流れる過程で、まず比較的発熱量の小さい電池本体部２４から少量の熱を吸熱した状態で下流側に流れ込むこととなる。そして、下流側にて、比較的発熱量の大きい電極端子２３と流体との温度差は十分確保されているため、電極端子２３に対して十分な冷却性能を発揮することができる。したがって、本実施形態の構成とすることで、流体の流通方向において、電池本体部２４よりも電極端子２３のほうが上流側にある場合と比較して、電池パック１の冷却性能を高めることができる。
【００５４】
（７）たとえば電極端子２３の突出する方向における電池積層体２０の両側に流体通路６０を配置する場合、流体は電極端子２３からの熱の受け渡しが主となり、電池本体部２４の冷却促進が困難となる。しかし、本実施形態では、電極端子２３は、電池本体部２４から積層方向Ｚと直交する方向へ突出しており、流体通路６０は、積層方向Ｚおよび電極端子２３の突出する方向の双方に直交する方向（横方向Ｘ）における電池積層体２０の両側に配置されている。また、流体通路６０の一部は、電池本体部２４に隣接する領域に沿って形成されている。そのため、流体通路６０内を流通する流体によって、電池本体部２４の冷却を促進させることができる。
【００５５】
（８）単電池２１の積層態様として、積層方向Ｚに直交する方向の一方側に正極端子２３１を集中させ、他方側に負極端子２３２を集中させる態様、つまり、隣り合う単電池２１のうち一方の正極端子２３１と他方の正極端子２３１とが向き合うように積層させる場合（以下、比較例２という）、一方の正極端子２３１と他方の負極端子２３２とを接続するには、対角線状にバスバを跨がせる必要があり、構成が複雑化しやすい。しかし、本実施形態においては、積層方向Ｚにおいて、隣り合う単電池２１のうち、一方の正極端子２３１と他方の負極端子２３２とが向かい合うようになっている。そのため、一方の正極端子２３１と他方の負極端子２３２との接続態様は、積層方向Ｚに沿ってバスバを配置すればよく、電池間を対角線状にバスバを跨がせる必要はない。したがって、比較例２と比較して、構成が簡素化できる。また、対角線状にバスバを跨がせる場合よりも積層方向Ｚに沿ってバスバを配置したほうがバスバの長さが短くて済み、低インダクタンス化が可能となる。したがって、低損失な電池パック１を提供することができる。
【００５６】
（第２実施形態）
以下、本発明の第２実施形態について図６に基づいて説明する。なお、第１実施形態と重複する部分については説明を簡略化または省略する。
【００５７】
本実施形態では、熱伝導部材２２に形成されたフィン２２１と流体の接触面積が、直線通路６３の下流側にいくにつれて大きくなるようにしてある。具体的には、奥行き方向Ｙにおける電池本体部２４の中央より送風機４０側を上流域、電極端子２３側を下流域としたときに、上流域におけるフィン２２１の数よりも下流域におけるフィン２２１の数が多い。また、違う観点でいうと、上流域よりも下流域のほうがフィン群の間隔が狭い。
【００５８】
次に、本実施形態における効果について説明する。
【００５９】
一般に冷却性能は、流体と熱伝導部材２２との接触面積、および流体と熱伝導部材２２との温度差に比例する。そして、熱伝導部材２２の温度は、電極端子２３の配置されていない上流域よりも電極端子２３に接近する下流域におけるもののほうが大きい。また、パックケース１０外部から電池パック１内に導入されたばかりの上流域における流体の温度のほうが下流域における流体の温度よりも低い。したがって、下流域よりも上流域のほうが流体と熱伝導部材２２との温度差は大きい。
【００６０】
つまり、流体と熱伝導部材２２との温度差に基づく冷却性能の観点からすると、下流域における冷却性能を十分に確保することが困難である。そこで、本実施形態では、熱伝導部材２２に形成されたフィン２２１と流体の接触面積が、直線通路６３の下流側にいくにつれて大きくなるようにしてある。つまり、電極端子２３に近接する下流域における流体と熱伝導部材２２との接触面積のほうが、電池本体部２４に近接する上流域における接触面積よりも大きい。そのようにすることで、吐出口４３２から流体通路６０に流れ込む流体は、まず上流域において電池本体部２４と熱交換することができ、下流域に達してもなお電極端子２３との熱交換を促進させることができる。したがって、電極端子２３から流体への放熱を促進させることができ、比較的発熱量の大きい電極端子２３の冷却性能を十分高めることができる。なお、上流域はいわば電池本体部２４の放熱が促進される領域であり、下流域はいわば電極端子２３の放熱が促進される領域である。
【００６１】
（第３実施形態）
以下、本発明の第３実施形態について図７、図８に基づいて説明する。なお、第１実施形態及び第２実施形態と重複する部分については説明を簡略化または省略する。
【００６２】
上記実施形態では、積層方向Ｚと直交する方向におけるプレート本体部５１の一面からプレートリブ部５２が２つ突出している。しかし、本実施形態では、図７、図８に示すように、エンドプレート５０は、プレート本体部５１から、積層方向Ｚにおける電池積層体２０の投影領域外に延出する延出部５３を備える。延出部５３は、固定部材３１４が挿入される第２貫通孔５２１を有する。積層方向Ｚからみたときに、延出部５３は、電池積層体２０の投影領域とは重ならない。また、積層方向Ｚからみたときに、延出部５３は、横方向Ｘにおいて２つの第２貫通孔５２１に挟まれた部分に、積層体ケース３０の投影面および電池積層体２０の投影面の双方と重ならない領域である庇領域５３１を有している。
【００６３】
また、積層方向Ｚからみたときに、庇領域５３１の投影空間が配置空間３２ａとなる。具体的には、一対のエンドプレート５０に設けられたそれぞれの庇領域５３１に挟まれた空間（積層方向Ｚにおいて挟まれた空間）が配置空間３２ａとなる。配置空間３２ａには、送風機４０の一部であるモータ４１が配置されている。
【００６４】
本実施形態によれば、第１実施形態と同様の効果が得られる。
【００６５】
（他の実施形態）
・上記実施形態では、正極端子２３１および負極端子２３２の双方を、電池本体部２４の一面から突出させるようにしたが、図１３に示すように、積層方向Ｚと直交する方向において正極端子２３１が突出する電池本体部２４の面とは反対側の面から負極端子２３２が突出するようにしてもよい。
【００６６】
・フィン２２１の配置は、上記実施形態によらず、たとえば奥行き方向Ｙにおける電池本体部２４の中央より送風機４０側にのみ配置されていてもよいし、逆に、奥行き方向Ｙにおける電池本体部２４の中央より電極端子２３側にのみ配置されていてもよい。また、上記第１実施形態においてはフィン群の数を８つとしたが、数量はこれに限定されるものではない。
【００６７】
・上記実施形態においては、送風機４０の一部であるモータ４１のみを配置空間３２内に収まるように配置するようにしたが、ファン４２も含めて配置空間３２内に収まるように配置されていてもよい。この場合には、モータ４１のみが配置空間３２内に配置されている場合と比較して、よりデッドスペースの有効活用が可能となり、電池パック１を一層小型化することが可能となる。
【００６８】
・上記実施形態においては、積層方向Ｚにおいて、隣り合う単電池２１のうち一方の正極端子２３１と他方の負極端子２３２とが向き合っているようにしたが、隣り合う単電池２１のうち一方の正極端子２３１と他方の正極端子２３１とが向き合っているように各単電池２１が積層されるようにしてもよい。つまり、横方向Ｘにおいて一方側に正極端子２３１が集中しており、他方側に負極端子２３２が集中するようになる。この場合、特に正極端子２３１および負極端子２３２のうち一方の端子が集中的に発熱するような状況を想定して、流体通路６０を流れる流体の流量を横方向Ｘにおける電池積層体２０の右側と左側とで異ならせるようにしてもよい。その具体的手段の一例としては、横方向Ｘにおける電池パック１の中心線に対して、一方側に送風機４０を偏らせて配置することなどが考えうる。
【００６９】
・上記実施形態においては、熱伝導部材２２が流体通路６０に突出するようにしたが、熱伝導部材２２が流体通路６０に突出しないようにしてもよい。それに伴って、熱伝導部材２２にフィン２２１が形成されていない態様にしてもよい。この場合、単電池２１の発熱を積層体ケース３０に伝導する熱伝導構造を別途有していてもよいし、単に熱的に接触させていてもよい。そうすることで、単電池２１の発熱は積層体ケース３０に伝導する。そして、積層体ケース３０に接触するように流体が流体通路６０を流下することで、積層体ケース３０に伝導した熱は放熱される。
【００７０】
・上記実施形態においては、吐出口４３２を構成するケーシング４３の壁面が、流体通路６０を構成する壁面であるケースブロック３１の外壁面およびパックケース１０の内壁面と接続されている。しかし、吐出口４３２を構成するケーシング４３の壁面が、ケースブロック３１の外壁面およびパックケース１０の内壁面との間に挿入されていてもよい。
【００７１】
・上記実施形態においては、吸入口４３１からパックケース１０の内部に導入された流体が、横方向Ｘにおける電池積層体２０の両側に形成された２つの直線通路６３に分岐して流体出口６１からパックケース１０の外部へ排出されるようにした。しかし、流体の流れはこれに限られるものではなく、電池パック１の内部において所望の流体の流れを実現するために送風機４０の配置を変えるようにしてもよい。上記実施形態においては、奥行き方向Ｙにおいて電池積層体２０に隣接する領域に送風機４０を配置するようにしたが、横方向Ｘにおいて電池積層体２０に隣接する領域に送風機４０が配置されるようにしてもよい。この場合、送風機４０によってパックケース１０の内部に導入された流体の流れとしては、まず横方向Ｘにおける電池積層体２０の一面に沿うように流下し、電極端子２３の突出する面とは反対側の面に沿って流下した後、横方向における電池積層体２０の他面に沿うように流下して流体出口６１からパックケース１０の外部に排出される。
【００７２】
・上記実施形態においては、送風機４０の有する遠心ファン４２の数は一つであるが、複数の遠心ファン４２を有していてもよい。その場合の複数の遠心ファン４２の配置は問わない。
【００７３】
・上記実施形態においては、ケースブロック３１の突出部３１２は、ブロック側壁３１１の４隅に、積層方向Ｚと直交する方向に突出するように形成されているが、図９に示すように、ブロック側壁３１１に対して対角線上に２つの突出部３１２が形成されているようにしてもよい。図９に示すケースブロック３１に応じて、エンドプレート５０は図１０のようにしてもよい。また、図１１に示すように、横方向Ｘにおけるブロック側壁３１１の中央付近に形成されるようにしてもよい。なお、この場合、配置空間３２は横方向Ｘにおける突出部３１２の両側に２つ形成されることとなる。図１１に示すケースブロック３１に応じて、エンドプレート５０は図１２のようにしてもよい。
【００７４】
・上記実施形態においては、モータ４１が配置空間３２内に収まるように配置されているが、モータ４１のすべてが収まっていなくとも、モータ４１の一部分だけが配置空間３２内に収まるように配置されていてもよい。
【００７５】
・上記実施形態においては、複数のケースブロック３１を積層方向Ｚに積層することによって積層体ケース３０を構成しているが、一部品となっているように一体形成されていてもよい。
【００７６】
・上記実施形態においては、流体通路６０は、積層されたケースブロック３１およびパックケース１０の間に形成された領域であるが、専用のダクトを設けて、その内部に流体を流すようにしてもよい。
【００７７】
・上記実施形態では、流体通路６０は、積層されたケースブロック３１およびパックケース１０の間に形成された領域であるが、側壁１３および側壁１４と積層体ケース３０との間に、それぞれ奥行き方向Ｙに延びる壁部が形成されており、積層体ケース３０と壁部とで囲まれる空間が流体通路６０となっていてもよい。つまり、パックケース１０の壁面が流体通路を形成する壁面となっていなくてもよい。
【００７８】
・上記実施形態においては、単電池２１と熱伝導部材２２とを交互に積層方向Ｚに積層しているが、交互でなくともよい。但し、単電池２１と熱伝導部材２２を交互に積層した方が交互でない場合と比較して冷却性能は高い。
【００７９】
・上記実施形態においては、電池積層体２０を覆う積層体ケース３０を備えた電池パック１としたが、積層体ケース３０を備えていなくてもよい。また、積層方向Ｚと直交する方向における電池積層体２０の一面のみに対向するように設けられた壁が積層体ケース３０を構成していてもよい。
【００８０】
・上記実施形態では、固定部材３１４は、第２貫通孔５２１および第１貫通孔３１３に挿入され、エンドプレート５０と積層体ケース３０を一体的に保持しているが、一対のエンドプレート５０のみを保持していてもよい。たとえば、積層体ケース３０を備えない電池パック１においては、エンドプレート５０に設けられた第２貫通孔５２１に固定部材３１４が挿入され、ナット締めされることで一対のエンドプレート５０を押圧するとともに複数の単電池２１を積層方向Ｚに拘束することができる。
【符号の説明】
【００８１】
１  電池パック、１０  パックケース、２０  電池積層体、２１  単電池、２２  熱伝導部材、２３  電極端子、２４  電池本体部、３０  積層体ケース、３１  ケースブロック、３２  配置空間、４０  送風機（流体駆動部）、４１  モータ、４２  遠心ファン、４３  ケーシング、５０  エンドプレート、５１  プレート本体部、５２  プレートリブ部（突出部）、６０  流体通路、６１  流体出口、６２  湾曲通路、６３  直線通路、６４  出口通路、２２１  フィン、２３１  正極端子、２３２  負極端子、３１１  ブロック側壁、３１２  突出部、３１４  固定部材（拘束部材）、３１５  第１配置空間、３１６  第２配置空間（配置領域）、４３１  吸入口、４３２  吐出口
【図１】
0006369378.tif 000002
【図２】
0006369378.tif 000003
【図３】
0006369378.tif 000004
【図４】
0006369378.tif 000005
【図５】
0006369378.tif 000006
【図６】
0006369378.tif 000007
【図７】
0006369378.tif 000008
【図８】
0006369378.tif 000009
【図９】
0006369378.tif 000010
【図１０】
0006369378.tif 000011
【図１１】
0006369378.tif 000012
【図１２】
0006369378.tif 000013
【図１３】
0006369378.tif 000014